(57)【特許請求の範囲】
【請求項１】
留置針セットであって、
中空状の外針と、
一端に前記外針の内部に挿通される中空状の内針を備えるとともに、他端が他の管状部材に連結可能に形成された内針シリンダとを有し、
前記外針は、前記内針の先端が前記外針の先端から突出する穿刺位置と、前記内針の先端が前記外針の中空部内に配置される留置位置との間を相対移動可能とされており、
前記留置位置では、前記内針と前記外針とは固定されることを特徴とする留置針セット。
【請求項２】
前記外針は、前記内針シリンダ側に開口する外針シリンダの先端に備えられ、
前記留置位置において前記外針シリンダの開口側と前記内針シリンダの内針装着側とが結合されることを特徴とする請求項１に記載の留置針セット。
【請求項３】
前記留置位置において、前記外針と前記内針とを固定する部位は、前記内針シリンダより前記内針の先端側に設けられていることを特徴とする請求項１又は２に記載の留置針セット。
【請求項４】
前記留置位置における前記内針と前記外針との位置関係は、前記外針を穿刺方向に押出すことによって形成されることを特徴とする請求項１記載の留置針セット。
【発明の詳細な説明】
【０００１】
【発明の属する技術分野】
この発明は、外針と、外針内部を挿通可能な内針とを備える留置針セットに関する。
【０００２】
【従来の技術】
長時間の点滴等に用いられる留置針は、患者が身動きすることによって、針で血管や周辺組織を損傷するのを防ぐため、プラスチック製の外針が使用されている。プラスチック製の外針を、患者の皮膚に刺し込むために、先端が鋭利な金属製の針と一緒に刺し込む方法が用いられている。この方法では、金属製の針（内針）をプラスチック製の針（外針）の内部に挿入して、金属製の針の先端を突出させた状態で一体化し、一体化された針を患者の皮膚に刺し込み、静脈まで到達させる。その後、プラスチック製の針をより深く押し込んでから、金属製の針を引き抜き、プラスチック製の針の基端側にカテーテル等を接続することで、点滴を開始することができる。
【０００３】
このような留置針セットでは、抜き取った金属製の針に、患者の血液や体液が付着している。また、この針は露出しているのが一般的で、誤って処置者等の皮膚に刺してしまうおそれがある。プラスチック製の針にカテーテル等を接続する際にも、患者の血液や体液が外部に流出、付着するおそれがある。血液や体液を媒体とする種々の感染を防ぐために、血液や体液が付着した部分が外部に露出する機会は、極力少なくされるのが好ましい。一方、プラスチック製の針は、点滴中に折れて、取り換えなければならないときがあり、この処置においても感染のおそれがある。
【０００４】
血液や体液に接触する機会を低減するため、内針を保護する部材を備えた留置針セットがある。内針の保護部材は筒状体で、外針の基端側に設けられている。内針は、外針から引き抜く動作によってそのまま保護部材内に収容され、内針全体を収容して外針から取り外せるようになっている。しかし、保護部材は、内針全体を収容する大きさであるため、留置針セットを患者の腕などに刺すときに邪魔になり、作業し難い。また、保護部材を取り外し、外針の基部にカテーテル等を接続するときに、血液や体液が付着した部位が外部に露出され、血液や体液が流出、付着する可能性がある。
【０００５】
【発明が解決しようとする課題】
そこで、本発明では、内針を取り外さずに使用することができる留置針セットを提供することを課題とする。
【０００６】
【課題を解決するための手段】
上記課題を解決するため、本発明では、留置針セットであって、中空状の外針と、一端に前記外針の内部に挿通される中空状の内針を備えるとともに、他端が他の管状部材に連結可能に形成された内針シリンダとを有し、前記外針は、前記内針の先端が前記外針の先端から突出する穿刺位置と、前記内針の先端が前記外針の中空部内に配置される留置位置との間を相対移動可能とされており、前記留置位置では、前記内針と前記外針とは固定されることを特徴とする留置針セットを提供する。
【０００７】
この留置針セットでは、内針を外針から抜き取らずに、一体に設けたまま内針を外針に固定して、患者の静脈内に留置することができる。本留置針セットでは、留置位置においても内針の一部が外針内部に配置されるため、内針の相対移動距離が小さくて済む。このため、留置針セットの全長が長くなることがなく、使用しやすい。また、患者の皮膚や静脈に針を穿刺する前に、内針シリンダの内針が設けられていない側の端部に薬液供給用の管状部材を取り付けておくことができ、患者の血液や体液が外部に露出する機会を低減することができる。
【０００８】
また、上記留置針セットで、前記外針は、前記内針シリンダ側に開口する外針シリンダの先端に備えられ、前記留置位置において前記外針シリンダの開口側と前記内針シリンダの内針装着側とが結合されることを特徴とする留置針セットを提供する。
【０００９】
この留置針セットでは、外針と内針とは、外針シリンダの開口側と内針シリンダの内針装着側とが結合されることによって固定される。外針シリンダの開口側と内針シリンダの内針装着側とを結合するため、針先側で留置位置への固定操作が行えるため、操作しやすい。
また、内針及び外針の各先端が人間の静脈内に到達した際に、内針外面と外針内面との間を通って逆流する血液が付着するおそれのある部位が、留置位置で外部から遮断される。このため、患者の血液等が付着する可能性のある部位が外部に露出せず、血液等の流出が妨げられる。
【００１０】
また、上記いずれかの留置針セットであって、前記留置位置において、前記外針と前記内針とを固定する部位は、前記内針シリンダより前記内針の先端側に設けられていることを特徴とする留置針セットを提供する。
この留置針セットでは、内針と外針とを固定する部位が、内針シリンダより各針の先端側に設けられているため、患者の皮膚に近い位置で固定操作を行う。このため、固定操作時に起こる留置針セットのぶれが患者の皮膚の穿刺位置を支点として、外針の先端に伝達されても、その動きが小さく、患者の皮膚の組織等に負担がかかり難い。
【００１１】
また、上記留置針セットであって、前記留置位置における前記内針と前記外針との位置関係は、前記外針を穿刺方向に押出すことによって形成されることを特徴とする留置針セットを提供する。
この留置針セットでは、患者の皮膚に外針及び内針の先端を刺し込んだ後、従来と同様に外針のみを押し出して、外針を針の先端方向に内針に対して相対的に移動させることによって外針と内針とを留置位置に配置することができる。このため、外針が内針で補強された状態で、点滴等をすることができる。
【００１２】
【発明の実施の形態】
以下に、本発明の実施の形態について、図面を参照しながら詳細に説明する。
図１に、本発明の一実施の形態に係る留置針セットを示す。留置針セット１は、内針１２を備えた内針部材１０と、外針２２を備えた外針部材２０とを有している。外針部材２０は、内針部材１０に対して内針１２の軸線方向に相対移動可能に設けられている。
【００１３】
内針部材１０は、内針１２と、内針シリンダ１４とを有している。
内針１２は、剛性を有する細管状に形成されている。内針１２の先端は、細管の軸線に対して鋭角に切断された形状で、鋭利に形成されている。
【００１４】
内針１２の反対側の端部は、内針シリンダ１４に連結されている。内針シリンダ１４は、内部を視認可能な筒状に形成されている。本実施形態では、内針シリンダ１４の一端は、テーパ部１６に形成されており、この中心に内針１２が設けられている。内針１２の中空部と内針シリンダ１４の内部とは、連通して形成されている。また、内針シリンダ１４の図示しない側の他端は、開放されており、チューブや、チューブ連結具等の管状部材が連結可能に形成されている。
【００１５】
本実施形態では、内針部材１０は、伸長部１８を備えている。伸長部１８は、内針シリンダ１４から内針１２の先端方向へ延びる部材である。図１に示すように、伸長部１８は、内針シリンダ１４のテーパ部１６の最大径部分から延びる筒状に形成されている。伸長部１８の先端の内面には、雌ネジ部１９が形成されており、外針部材２０と係合可能に形成されている。
【００１６】
外針部材２０は、外針２２と、外針シリンダ２４とを備えている。
外針２２は、柔軟性を備えた細管状に形成されている。外針２２の管内には、内針１２が挿入されており、外針２２は、内針１２の軸線に沿って相対的に移動可能に設けられている。
外針２２は、従来と同様、人体の皮膚組織に刺し込まれた状態で、外針２２に外力が加えられた際に人体の組織を傷つけたり、痛みを感じさせない程度の柔軟性を備えているのが好ましい。また、図１では、外針２２の先端側の端部が薄肉に形成されて、外面がテーパ状に形成されており、内針１２に沿って皮膚組織内に刺し込まれやすい形状に形成されている。
【００１７】
外針シリンダ２４は、図１に示すように外針２２の内針シリンダ１４側の端部に設けられている。外針シリンダ２４は筒状部材で、本実施形態では、外針２２側から徐々に径が大きくなるテーパ状に形成されている。外針２２の内部と外針シリンダ２４の内部とは連通して設けられている。
【００１８】
外針シリンダ２４の内針シリンダ１４側の端部（２６）は、伸長部１８の内径に略等しい外径に形成されている。そして、この端部の外面に、雄ネジ部２６が形成されている。雄ネジ部２６は、伸長部１８の雌ネジ部１９と螺合可能に形成されており、外針部材２０は、この螺合によって内針部材１０に固定可能とされている。
外針シリンダ２４は、端部（２６）が、内針シリンダ１４のテーパ部１６に当接する位置から伸長部１８の端部（１９）に当接する位置までを内針１２に沿って移動可能とされている。すなわち、外針部材２０は、内針シリンダ１４のテーパ部１６から内針１２の先端までの領域内を移動可能に配置されている。
【００１９】
外針部材２０は、内針１２上を穿刺位置から留置位置まで相対移動可能に設けられている。
穿刺位置は、留置針セット１を患者の皮膚組織に刺し込んで静脈まで到達させるときの位置である。穿刺位置では、内針１２の先端が外針２２の先端よりも突出して設けられる。本実施形態の留置針セット１では、図１に示すように、穿刺位置において、内針１２の先端の切断端面全体が外針２２の先端から突出するように配置されている。同時に、外針シリンダ２４の端部（２６）が内針シリンダ１４のテーパ部１６に当接するように形成されている。このため、外針部材２０は、穿刺位置よりも、内針１２が外針２２から突出する位置には相対移動しないように、すなわち、内針シリンダ１４方向には移動不可能に設けられている。
【００２０】
また、留置位置は、点滴等を行うときの内針１２と外針２２との位置である。留置位置では、図２に示すように、内針１２の先端は外針２２の中空状部分に収容されており、外針２２は留置位置に固定可能とされている。本実施形態の留置針セット１では、留置位置において、伸長部１８の端部（１９）が、外針シリンダ２４の端部（２６）が配置される位置に、配置されるように設けられている。このため、外針シリンダ２４の雄ネジ部２６と伸長部１８の雌ネジ部１９とは、留置位置で螺合することができ、外針２２は留置位置で内針１２に固定される。
【００２１】
本実施形態の留置針セット１を使用する場合は、まず、外針部材２０を内針部材１０に対して動かして、内針１２と外針２２とを穿刺位置に配置する。このとき、好ましくは、内針シリンダ１４の内針１２と反対側の端部に、薬液等を供給可能な管状部材を予め連結しておく。
【００２２】
次に、留置針セット１の一体的に設けられた内針１２及び外針２２を、患者の皮膚に穿刺し、静脈内部に到達させる。穿刺位置では、図１に示すように、鋭利に形成された内針１２の先端が突出している。これにより、内針１２及び外針２２は、内針１２の鋭利な先端によって、通常の注射針の穿刺方法で良好に静脈まで刺し通される。
【００２３】
この留置針セット１の針先、すなわち内針１２の先端が静脈内に到達したかどうかは、内針１２を通じて内針シリンダ１４まで逆流した血液や体液を視認することによって行うことができる。
【００２４】
この確認の後、内針部材１０を固定したまま、外針部材２０を内針１２の先端方向に押出すようにして、相対移動させ、外針２２の先端を内針１２の先端より突出させる。従来と同様、外針部材２０を内針１２周りに回転させながら押し入れることにより、外針部材２０をスムーズに静脈内に押し入れることができる。さらに外針部材２０を押し入れると、やがて外針シリンダ２４の端部（２６）が伸長部１８の端部（１９）付近に配置される。その後、外針部材２０全体を内針１２の軸線を中心に回転させることにより、外針シリンダ２４の端部の雄ネジ部２６と伸長部の端部の雌ネジ部１９とを螺合させる。この結果、外針部材２０は、内針部材１０に対して固定されており、内針１２と外針２２とは留置位置に配置される。
【００２５】
このとき、内針１２及び外針２２の先端を患者の皮膚に穿刺した際に、逆流する血液等が、内針１２と外針２２との間を通った場合に、血液等が付着するおそれのある部分が、外部から遮断されている。すなわち、図１に示す穿刺位置では、内針シリンダ１４のテーパ部１６の外面及び外針シリンダ２４の内面、及び内針１２の外面が、血液等の付着するおそれがある部位である。そして、図２に示す留置位置では、これらの部位は、伸長部１８及び外針シリンダ２４によって形成される空間内に密閉されて、外部から遮断されている。
【００２６】
その後、留置針セット１を患者の皮膚に固定して、管状部材の薬液供給量を調節することにより、従来と同様、長期にわたる点滴等を行うことができる。
なお、当初より薬液用のチューブ等の管状部材を設けていない場合は、外針２２及び内針１２が留置位置に固定された後に管状部材等を、内針シリンダ１４に連結しても良い。
【００２７】
この留置針セット１では、内針１２及び外針２２の針先を患者の静脈内まで到達させた後、外針２２を取り外すことなく点滴を行うことができる。このため、患者の体液や血液が付着した部分が外部に露出したり、処置者が体液、血液等が付着した部分を触ったりすることがない。
また、留置位置において、内針１２は外針２２の中空部内に配置され、留置位置で留置針セット１が長くなりすぎないため、作業しやすい。また、結合部位、すなわち雌ネジ部１９と雄ネジ部２６とが、内針シリンダ１４より針の先端側に配置されているため、外針部材２０の押し出し操作と連続して、固定操作を行うことができる。
【００２８】
また、内針１２を患者の皮膚から引き抜かず、外針部材２０を患者の皮膚内に更に刺し込んで留置位置に配置するため、皮下から外部にわたって外針２２内に内針１２が配置されている。このため、外針２２は、内針１２で補強されており、折れ曲がったり、過度の負荷がかかったりし難い。したがって、患者が身動きして、外針２２に力がかかるときでも、外針２２の変形が抑制されて、使用中の外針２２が破損するのが良好に抑制されている。
【００２９】
さらに、穿刺位置と留置位置における外針の内針に対する相対的な位置変化が小さいため、外針を簡単な操作で穿刺位置から留置位置に移動させることができる。特に、本実施形態では、内針１２及び外針２２の先端を静脈内に差し入れた後、更に外針２２を静脈内に押し入れる、という従来通りの操作によって、外針２２が留置される。このため、患者の皮膚や組織に負担をかけるのを低減して、内針１２を一体に設けたまま点滴の準備を完了することができる。
特に、本実施形態では、結合部位を螺合式としたため、外針２２を内針１２を中心に回転させることによって内針１２と外針２２とを固定することができる。このため、外針２２が刺し込まれている皮膚及び周辺組織に負荷がかかり難く、好ましい。
【００３０】
また、この留置針セット１を使用後に廃棄するときは、外針２２を引き抜いてセット全体をそのまま廃棄することができる。このため、内針１２が露出することがなく、誤刺を防ぐことができる。
一方、内針部材１０と外針部材２０との結合形態を脱着可能な形式としたため、留置針セット１を使用後に外針部材２０と内針部材１０とを分離することができる。したがって、材質ごとに分別回収等することができ、資源の再利用等に供しやすい。
また、本実施形態では、内針部材１０と外針部材２０とは、螺合によって固定されるため、気密性が高く、固定部分から血液や体液が漏洩することが、良好に抑制されている。
【００３１】
薬液等を供給する管状部材は、内針シリンダ１４の内針１２と反対側の端部に取り付け可能とされているため、内針１２及び外針２２を患者に穿刺する前に管状部材を連結することができる。このため、管状部材を留置針セット１に取り付ける際に、患者の体液や血液が内針シリンダ１４の内針１２と反対側の端部から外部に露出したり、処置者の手にかかったりすることを防ぐことができる。
【００３２】
本発明の留置針セットは、上記実施形態に限定されるものではなく、特許請求の範囲に記載された範囲内で、種々の変更が可能である。
外針と内針との留置位置での固定は、螺合式に限定されない。例えば、嵌合、係合、シーリングを利用することができ、これらを複数個組合わせたものでも良い。また、別体で形成された固定用部材を取り付けることによって内針部材と外針部材とを固定したり、外針部材又は内針部材に可動部分を設けてこの部分を動かして固定したりする形態でも良い。好ましくは、前記外針と内針との固定は、前記内針の軸心周りに回転させる螺合によって行われ、簡単に操作できるとともに、患者の皮膚等への負担がかかり難い。
【００３３】
例えば、図３（ａ）に示すように、外針シリンダ２４の内針シリンダ１４側の端部外周面の全体又は一部に凹部３２を設け、伸長部１８の内針１２側の端部内周面の全体又は一部に凸部３４を設けても良い。この場合、凹部３２と凸部３４とが嵌合することによって内針１２と外針２２とが留置位置で固定される。
また、図３（ｂ）に示すように、伸長部１８の内針１２側の端部内周面にゴム製などの可撓性部材３７を設け、外針シリンダ２４の内針シリンダ１４側の端部に半径方向に突出する凸部３８を設けても良い。この場合、外針シリンダ２４の外周面及び凸部３８と可撓性部材３７とのシーリングによって、内針１２と外針２２とが留置位置で固定される。
【００３４】
また、外針部材と内針部材とを固定するための結合部位は、種々の位置に設けることが可能である。また、外針シリンダと伸長部とはどちらか一方のみを設けても良いし、両方設けなくても良い。あるいは、外針シリンダの径を伸長部より大径に形成しても良い。また、結合部位は、針の先端側に設けられると、より小さな動きで外針と内針とを固定することができ、好ましい。また、動きが小さく、留置針セットの振れの支点となる皮膚に穿刺された部分からの距離が短いため、外針の先端が患者の皮下組織内（静脈内）で振れる幅が小さくて済み、患者の皮膚や組織にかかる負担を小さくできる。具体的には、前記外針と内針とを固定する部位は、前記内針の周囲に設けられていると、好ましい。
【００３５】
図４に、外針シリンダが伸長部より大径に形成されている形態の留置針セットを示す。この留置針セット４０では、リング状の可撓性部材によるシーリングによって内針１２と外針２２とが留置位置に固定される。なお、本実施形態において図１の留置針セット１と同様の部分は、同一の符号を付して説明を省略する。
【００３６】
内針部材５０は、中空状の内針１２と、内針シリンダ５２とを備えている。
内針シリンダ５２は、筒状で、内針１２と結合する部分が径の小さい小径部５２ａに形成されている。内針シリンダ５２の管状部材と連結可能な側は、テーパ部５３を介してより大きい径の大径部５２ｂに形成されている。
【００３７】
内針シリンダ５２は、小径部５２ａの内針１２との結合部位に、内針１２の先端方向に延びる伸長部５５を有している。伸長部５５は、内針１２方向に向かって径の大きくなるテーパ片に形成されている。伸長部５５の内針１２側の先端は、フランジに形成されており、後述する外針シリンダ６２の内径にほぼ等しく形成されている。フランジより内針シリンダ５２側には、外針シリンダ６２の外周全体にわたって溝状の凹部５７が形成されている。伸長部５５は、テーパ片で、内針１２の外面との間に隙間が形成されている。このため、伸長部５５は、半径方向から力を受けると、内針１２方向に撓んで外径を小さくすることができる。
【００３８】
外針部材６０は、外針２２と外針シリンダ６２とを有する。外針シリンダ６２は、内針シリンダ５２の小径部５２ａの外径より大きい内径の筒状に形成されている。
外針シリンダ６２の内針シリンダ５２側の端部内面には、リング状の可撓性部材６５が設けられている。可撓性部材６５は、内針シリンダ５２の小径部５２ａの外径より大きく、伸長部５５のフランジの外径より小さい内径に形成されている。
【００３９】
この留置針セット４０では、可撓性部材６５と凹部５７との係合によって内針部材５０と外針部材６０とが固定される。穿刺位置にある外針シリンダ６２は、伸長部５５より外方に配置されているため、手で持ちやすく、内針部材５０に対して外針部材６０のみを内針１２の先端方向に押し込むのが簡単である。
また、外針部材６０の可撓性部材６５は、内針シリンダ５２の小径部５２ａに接触しないため、外針部材６０をスムーズに相対移動させることができる。
また、伸長部５５は、内針１２方向に撓むことができるため、より小さな力で可撓性部材６５を伸長部５５の凹部５７まで移動させて、係合させることができる。
【００４０】
また、留置針セット４０では、外針２２と内針１２との固定と同時に、外針シリンダ６２内面の外針２２の結合部位と、内針シリンダ５２外面の内針１２の結合部位との間に形成される空間が、可撓性部材６５によって密閉状に外部から遮断される。特に、一度凹部５７に嵌合状に係合された可撓性部材６５は、伸長部５５の半径方向へ向かう弾発力によって、密閉性が向上されており、且つ固定強度も高くなっている。
【００４１】
なお、図４に示す形態においても、螺合を用いて内針と外針とを固定しても良い。この形態を図６に示す。この形態では、内針シリンダ５２の内針１２側は、外針シリンダ６２の内径より少し小さい外径の円柱状に形成されている。そして、図４において凹部５７が形成されている部分に、雄ネジ部５９が形成されている。一方、外針部材６０の外針シリンダ６２の内針シリンダ５２側の端部内面には、可撓性部材６５の代わりに雌ネジ部６７が外針シリンダ６２に一体成形されている。
【００４２】
この留置針セット４０では、図１の場合と同様に操作することで、図６に示す穿刺位置から留置位置に移動させ、その後、外針シリンダ６２を回転させることによって、螺合によって固定することができる。この留置針セット４０では、外針シリンダ６２が外面に位置するため、手で持ちやすく、螺合又はその解除がの操作が簡単にできる。
【００４３】
また、本発明の留置針セットでは、内針部材と外針部材との固定と、内針シリンダ外面の内針結合部位と外針シリンダ内面の外針結合部位との間に形成される空間の外部からの遮断とを別々に行っても良い。このような留置針セットを図５に示す。
図５に示す留置針セット７０は、図１に示す留置針セット１の変形例であり、内針部材１０と外針部材２０とを有している。
【００４４】
外針部材２０は、外針シリンダ２４の内部に、皮膜７２が設けられている。皮膜７２は、外針シリンダ２４内を半径方向に遮断するように設けられており、内針１２のみが挿通可能な開孔７３を備えている。一方、内針部材１０の内針シリンダ１４には、内針１２の先端方向に延びる略板状の伸長部７４が形成されている。伸長部７４の内針１２の先端側の端部で、外針シリンダ２４と対向する面には、凸部７６が設けられている。また、外針シリンダ２４の外面の一部に凹部７８が設けられている。凹部７８は、図５（ｂ）に示すように、凸部７６の幅にほぼ等しく、内針１２の軸線方向に延びる凹部７８ａと、凸部７６の軸方向の長さにほぼ等しく、外針シリンダ２４の周方向に延びる凹部７８ｂとの組み合わせによって形成されている。
【００４５】
皮膜７２は、外針シリンダ２４内面の外針結合部位から外針シリンダ２４の皮膜７２より内針１２側の内面によって形成される空間を穿刺位置から留置位置への相対移動の間一貫して密閉状に外部から遮断することができる。また、留置位置で凸部７６と凹部７８とが係合されることにより、内針部材１０と外針部材２０とが固定することができる。留置針セット７０においても、穿刺位置において外針シリンダ２４が外方に設けられており、外針部材２０を手で持ちやすくなっている。
なお、外針部材２０を更に持ちやすくするために、外針シリンダ２４の所定の外面に突起７９を設けても良い。
【００４６】
本発明の留置針セットは、
（１）中空状の外針と、中空状の内針を一端に備え、管状部材と連結可能な他端を有する内針シリンダとを有しており、前記外針は、当該外針の中空部に前記内針を通した状態で、前記内針の先端が前記外針の先端より突出する穿刺位置と、前記内針の先端が前記外針の中空部に収容される留置位置との間を前記内針に対して相対移動可能に形成されている。
また、（２）（１）の留置針セットにおいて、前記外針の前記内針シリンダ側には外針シリンダが設けられ、前記外針シリンダと前記内針シリンダとは、前記留置位置において前記内針シリンダの前記内針装着側で結合される留置針セットとすることができる。
また、（３）（１）又は（２）の留置針セットにおいて、前記内針シリンダには、前記内針先端方向に延びる伸長部が設けられ、前記伸長部は、前記留置位置において前記外針シリンダと結合可能に設けられる留置針セットとすることができる。
また、（４）（２）又は（３）の留置針セットにおいて、前記内針シリンダの前記内針装着側と、前記外針シリンダの開口側との間に形成される空間が、少なくとも前記留置位置において外部から遮断されている留置針セットとすることができる。
さらに、（５）（１）〜（３）のいずれかの留置針セットにおいて、前記外針は、前記内針の軸線周りに回転することによって、前記留置位置で前記内針に対して固定されることを特徴とする留置針セットとすることができる。
【００４７】
【発明の効果】
本発明では、内針を取り外すさずに使用することができる留置針セットを提供することができる。
【図面の簡単な説明】
【図１】図１は、本発明の一実施の形態に係る留置針セットを示し、外針側部材が穿刺位置にあるときの平面図である。
【図２】図２は、図１の留置針セットにおいて、外針側部材が留置位置にあるときの平面図である。
【図３】図３（ａ）（ｂ）は、他の実施形態に係る留置針セットを示す断面図である。
【図４】図４は、外針シリンダの孔部内に結合部が設けられた、本発明の一実施の形態に係る留置針セットを示す断面図である。
【図５】図５（ａ）は、内針側部材と外針側部材との固定と、外針側部材の外針の基端側の開放端の密閉とが異なる部位で行われる、本発明の一実施の形態に係る留置針セットを示す断面図である。図５（ｂ）は、外針側部材の結合部を示す斜視図である。
【図６】図６は、図４の留置針セットの変形例を示す断面図である。
【符号の説明】
１，４０，７０  留置針セット
１０，５０  内針部材
１２  内針
２２  外針
１４，５２  内針シリンダ
１６，５３  テーパ部
１８，５５，７４  伸長部
１９，６７  雌ネジ部
２０，６０  外針部材
２２  外針
２４，６２  外針シリンダ
２６，５９  雄ネジ部
３２，５７，７８  凹部
３４，３８，７６  凸部
３７，６５  可撓性部材
７２  皮膜
７３  開孔
７９  突起
【図１】
0003748212.tif 000002
【図２】
0003748212.tif 000003
【図３】
0003748212.tif 000004
【図４】
0003748212.tif 000005
【図５】
0003748212.tif 000006
【図６】
0003748212.tif 000007